(57)【要約】【課題】特定周波数もしくはチャネル衰微により引き起こされる通信品質の問題を改善、同時に、多重通信路の影響と周波数偏移問題を克服するＭＩＭＯ−ＣＤＭＡ（マイモ符号分割多重接続）の提供。【解決手段】本発明のＭＩＭＯ−ＣＤＭＡ（マイモ符号分割多重接続）装置とその符号化方法において、その装置は、一つの送信端末と一つの受信端末を含む。送信端末と受信端末はどちらも多数のアンテナを有し、多通信路伝送と受信の効果を達成する。また、受信端末は、プリアンブルスプレッドコードと時空間ブロック符号化技術を用いて、多通信路信号による干渉を取り除き、受信信号の搬送波周波数偏移を修正する。【選択図】図３
2007166591.tif 000002
【特許請求の範囲】
【請求項１】
ＭＩＭＯ−ＣＤＭＡ（マイモ符号分割多重接続）装置において、
データを符号化する一つのエンコードユニットと、
エンコードユニットに連結、エンコードユニットの出力を変調する、モジュレーションユニットと、
モジュレーションユニットに連結、モジュレーションユニットの出力を符号化し、並びに、Ｍ個のブロックデータを出力する、ダイバシティエンコードユニットと、
ダイバシティエンコードユニットに連結、データスプレッドコード、パイロットスプレッドコード及び多組のプリアンブルスプレッドコードを用いて、それぞれブロックデータにスプレッドエンコードを行い、並びに、Ｍ個のスプレッドデータを出力する、スプレッドユニットと、
それぞれをスプレッドユニットに連結、並びに、並それぞれスプレッドデータの一つを受信する、Ｍ個のＲＦ送信モジュールと、
それぞれをＲＦ送信モジュールに連結、ＲＦモジュールは送信アンテナを使ってスプレッドデータの一つをそれぞれ送信する、Ｍ個送信アンテナと、
Ｋ個の受信アンテナと、
それぞれを受信アンテナに連結、並びに、プリアンブルスプレッドコードを使って受信アンテナが受信した信号にチャネル判断とパケットタイミング判断と周波数偏移判断を行い、また、パイロットスプレッドコード(pilot)によって受信アンテナが受信した信号に位相判断を行う、Ｋ個の判断ユニットと、
判断ユニットに連結、並びに、データスプレッドコードを使って、判断ユニットの出力にデータデスプレッドを行い、デスプレッドデータを出力する、デスプレッドユニットと、
デスプレッドユニットに連結、並びに、デスプレッドデータにダイバシティデコードを行う、ダイバシティデコードユニットと、
ダイバシティデコードユニットに連結、並びに、ダイバシティデコードユニットの出力に復調を行う、デモジュレーションユニットと、
デモジュレーションユニットに連結、デモジュレーションユニットの出力を復号する、デコードユニットとを含み、
ＭとＫは皆、自然数で、且つ、受信アンテナが受信した信号は、送信アンテナが送信するスプレッド信号に対応、判断ユニットと受信アンテナは１対１であることを特徴とするＭＩＭＯ−ＣＤＭＡ（マイモ符号分割多重接続）装置。
【請求項２】
請求項１記載のＭＩＭＯ−ＣＤＭＡ（マイモ符号分割多重接続）装置において、前記モジュレーションユニットのエンコードユニット変調の出力方式には、四位相偏移変調(ＱＰＳＫ：Quadrature phase shift keying)を含むことを特徴とするＭＩＭＯ−ＣＤＭＡ（マイモ符号分割多重接続）装置。
【請求項３】
請求項１記載のＭＩＭＯ−ＣＤＭＡ（マイモ符号分割多重接続）装置において、前記ダイバシティエンコードユニットのモジュレーションユニット符号化の出力方式には、時空間ブロック符号化演算法を含むことを特徴とするＭＩＭＯ−ＣＤＭＡ（マイモ符号分割多重接続）装置。
【請求項４】
請求項１記載のＭＩＭＯ−ＣＤＭＡ（マイモ符号分割多重接続）装置において、前記ダイバシティエンコードユニットのモジュレーションユニット符号化の出力方式には、空間多重演算法を含むことを特徴とするＭＩＭＯ−ＣＤＭＡ（マイモ符号分割多重接続）装置。
【請求項５】
請求項１記載のＭＩＭＯ−ＣＤＭＡ（マイモ符号分割多重接続）装置において、前記スプレッドユニットは、
それぞれをＲＦ送信モジュールに連結するＭ個のマルチプレクサーと、
それぞれをマルチプレクサーの内の一つとダイバシティエンコードユニット間に連結、データスプレッドコードと該パイロットスプレッドコードを用いて、それぞれ各ブロックデータにスプレッドエンコードを行う、Ｍ個のデータパイロットスプレッドユニットと、  マルチプレクサーに連結、並びに、プリアンブルスプレッドコードをそれぞれマルチプレクサーに伝送、プリアンブルスプレッドコード中の一つは、マルチプレクサー中の一つに対応する、プリアンブルスプレッドユニットを含み、
その内、マルチプレクサーは、データパイロットスプレッドユニットの出力とそれに対応するプリアンブルスプレッドコードに基づき、それぞれスプレッドデータ中の一つを、対応するＲＦ送信モジュール中の一つに出力することを特徴とするＭＩＭＯ−ＣＤＭＡ（マイモ符号分割多重接続）装置。
【請求項６】
請求項５記載のＭＩＭＯ−ＣＤＭＡ（マイモ符号分割多重接続）装置において、前記ＲＦ送信モジュール中の一つは、
送信アンテナ中の一つに連結する一つのＲＦ送信器と、
ＲＦ送信器とマルチプレクサー中の一つに連結する一つのデジタルアナログ変換器を含むことを特徴とするＭＩＭＯ−ＣＤＭＡ（マイモ符号分割多重接続）装置。
【請求項７】
請求項１記載のＭＩＭＯ−ＣＤＭＡ（マイモ符号分割多重接続）装置において、前記データスプレッドコードとパイロットスプレッドコードは直交波であることを特徴とするＭＩＭＯ−ＣＤＭＡ（マイモ符号分割多重接続）装置。
【請求項８】
請求項１記載のＭＩＭＯ−ＣＤＭＡ（マイモ符号分割多重接続）装置において、前記プリアンブルスプレッドコード中の一つとこの外のプリアンブルスプレッドコード中の一つは直交波であることを特徴とするＭＩＭＯ−ＣＤＭＡ（マイモ符号分割多重接続）装置。
【請求項９】
請求項１記載のＭＩＭＯ−ＣＤＭＡ（マイモ符号分割多重接続）装置において、前記モジュレーションユニットは、モジュレーションユニットが出力したサ信号にサイクリックプレフィックスを加えたものであることを特徴とするＭＩＭＯ−ＣＤＭＡ（マイモ符号分割多重接続）装置。
【請求項１０】
請求項１記載のＭＩＭＯ−ＣＤＭＡ（マイモ符号分割多重接続）装置において、前記判断ユニット中の一つは、
対応する受信アンテナ中の一つに連結、並びに、受信アンテナ中の一つが受信した信号を用いて、受信信号を出力する、ＲＦ受信モジュールと、
ＲＦ受信モジュールに連結、並びに、プリアンブルスプレッドコードに基づいて、受信信号のパケットタイミングと周波数偏移データを出力する、時刻同期と周波数偏移判断ユニットと、
デスプレッドユニットとＲＦ受信モジュール間に連結、並びに、パケットタイミングと周波数偏移データに基づき、受信信号中のサイクリックプレフィックスを除去する、サイクリックプレフィックス除去ユニットと、
ＲＦ受信ユニットとデスプレッドユニット間に連結、プリアンブルスプレッドコードに基づいて、受信信号のチャネル効果を判断、並びに、チャネル予測値をデスプレッドユニットに出力する、チャネル判断ユニットと、
デスプレッドユニットとサイクリックプレフィックス除去ユニット間に連結、並びに、パイロットスプレッドコードに基づき、位相偏移データをデスプレッドユニットに出力する、位相判断ユニットを含むことを特徴とするＭＩＭＯ−ＣＤＭＡ（マイモ符号分割多重接続）装置。
【請求項１１】
請求項１０記載のＭＩＭＯ−ＣＤＭＡ（マイモ符号分割多重接続）装置において、デスプレッドユニットは、データスプレッドコード、位相偏移データ、チャネル予測値に基づき、サイクリックプレフィックス除去ユニットの出力にデータデスプレッドを行うことを特徴とするＭＩＭＯ−ＣＤＭＡ（マイモ符号分割多重接続）装置。
【請求項１２】
請求項１０記載のＭＩＭＯ−ＣＤＭＡ（マイモ符号分割多重接続）装置において、ＲＦ受信モジュールは、
受信アンテナ中の一つに連結する、ＲＦ受信器と、
ＲＦ受信器に連結、並びに、受信信号を出力する、アナログデジタル変換器を含むことを特徴とするＭＩＭＯ−ＣＤＭＡ（マイモ符号分割多重接続）装置。
【請求項１３】
請求項１記載のＭＩＭＯ−ＣＤＭＡ（マイモ符号分割多重接続）装置において、ダイバシティデコードユニットは、時空間ブロックデコード演算法によりモジュレーションユニットの出力を符号化することを特徴とするＭＩＭＯ−ＣＤＭＡ（マイモ符号分割多重接続）装置。
【請求項１４】
ＭＩＭＯ−ＣＤＭＡ（マイモ符号分割多重接続）装置の符号化方法におけるＭＩＭＯ−ＣＤＭＡ（マイモ符号分割多重接続）装置は、Ｍ個の送信アンテナとＫ個の受信アンテナを含み、ＭとＫは皆自然数であり、
その符号化方法のステップには、
モジュレーションデータをダイバシティエンコードし、並びに、Ｍ個のブロックデータを出力、
データスプレッドコード、一パイロットスプレッドコード、多組のプリアンブルスプレッドコードによって、ブロックデータにスプレッドを行い、並びに、Ｍ個のスプレッドデータを出力するステップを含み、
送信アンテナにより、スプレッドデータをそれぞれ送信、スプレッドデータと送信アンテナは一対一となることを特徴とするＭＩＭＯ−ＣＤＭＡ（マイモ符号分割多重接続）装置の符号化方法。
【請求項１５】
請求項１４記載のＭＩＭＯ−ＣＤＭＡ（マイモ符号分割多重接続）装置の符号化方法において、
前記モジュレーションデータをダイバシティエンコードし、並びに、Ｍ個のブロックデータを出力するステップの前に、更に、
データ符号化、及び、モジュレーションエンコード後のデータにサイクリックプレフィックスを加えるステップを含むことを特徴とするＭＩＭＯ−ＣＤＭＡ（マイモ符号分割多重接続）装置の符号化方法。
【請求項１６】
請求項１４記載のＭＩＭＯ−ＣＤＭＡ（マイモ符号分割多重接続）装置の符号化方法において、前記モジュレーションデータをダイバシティエンコードするステップにおいて、モジュレーションデータを符号化する為の演算法は、時空間ブロック符号化演算法を含むことを特徴とするＭＩＭＯ−ＣＤＭＡ（マイモ符号分割多重接続）装置の符号化方法。
【請求項１７】
請求項１４記載のＭＩＭＯ−ＣＤＭＡ（マイモ符号分割多重接続）装置の符号化方法において、前記モジュレーションデータをダイバシティエンコードするステップにおいて、モジュレーションデータをダイバシティエンコードする演算法には、空間多重演算法を含むことを特徴とするＭＩＭＯ−ＣＤＭＡ（マイモ符号分割多重接続）装置の符号化方法。
【請求項１８】
請求項１４記載のＭＩＭＯ−ＣＤＭＡ（マイモ符号分割多重接続）装置の符号化方法において、前記データスプレッドコードとパイロットスプレッドコードは直交波であることを特徴とするＭＩＭＯ−ＣＤＭＡ（マイモ符号分割多重接続）装置の符号化方法。
【請求項１９】
請求項１４記載のＭＩＭＯ−ＣＤＭＡ（マイモ符号分割多重接続）装置の符号化方法において、前記プリアンブルスプレッドコード中の一つとその外のプリアンブルスプレッドコード中の一つは直交波であることを特徴とするＭＩＭＯ−ＣＤＭＡ（マイモ符号分割多重接続）装置の符号化方法。
【請求項２０】
前記ＭＩＭＯ−ＣＤＭＡ（マイモ符号分割多重接続）装置は、Ｍ個の送信アンテナとＫ個の受信アンテナを含み、ＭとＫは皆自然数であり、
その復号方法のステップにおいて、
多数のプリアンブルスプレッドコードを用いて、第i受信アンテナが受信した信号にパケットタイミングと周波数偏移判断とチャネル判断を行い、並びに、対応する第iパケットタイミングと周波数偏移データと第iチャネル予測値を出力、iは自然数、且つ０<i≦Kであり、
第iパケットタイミングと周波数偏移データに基づき、第i受信アンテナが受信した信号のサイクリックプレフィックスを除去、
パイロットスプレッドコードによって、サイクリックプレフィックス除去後の第i受信アンテナが受信した信号に位相判断を行い、並びに、対応する第i位相偏移データを出力、
データスプレッドコード、第i位相偏移データ、第iチャネル予測値によって、サイクリックプレフィックス除去後の第i受信アンテナが受信した信号にデータデスプレッドをすると、第iサブデスプレッドデータが発生、
第１から第Ｋサブデスプレッドデータに基づき、デスプレッドデータを出力、
デスプレッドデータにダイバシティデコードを行う、
以上のステップを含むことを特徴とするＭＩＭＯ−ＣＤＭＡ（マイモ符号分割多重接続）装置の復号方法。
【請求項２１】
請求項２０記載のＭＩＭＯ−ＣＤＭＡ（マイモ符号分割多重接続）装置の復号方法において、前記デスプレッドデータにダイバシティデコードを行うステップにおいて、デスプレッドデータをダイバシティデコードする為の演算法には、時空間ブロック符号化演算法を含むことを特徴とするＭＩＭＯ−ＣＤＭＡ（マイモ符号分割多重接続）装置の復号方法。
【請求項２２】
請求項２０記載のＭＩＭＯ−ＣＤＭＡ（マイモ符号分割多重接続）装置の復号方法において、前記データスプレッドコードとパイロットスプレッドコードは直交波であることを特徴とするＭＩＭＯ−ＣＤＭＡ（マイモ符号分割多重接続）装置の復号方法。
【請求項２３】
請求項２０記載のＭＩＭＯ−ＣＤＭＡ（マイモ符号分割多重接続）装置の復号方法において、前記プリアンブルスプレッドコード中の一つとこの外のプリアンブルスプレッドコード中の一つは直交波であることを特徴とするＭＩＭＯ−ＣＤＭＡ（マイモ符号分割多重接続）装置の復号方法。
【発明の詳細な説明】
【技術分野】
【０００１】
本発明は、符号分割多重接続（ＣＤＭＡ）デジタルモジュレーション装置に関するものであり、特に、ＭＩＭＯ−ＣＤＭＡ（Multiple input Multiple output Code Division Multiple Access）装置とその符号化、復号方法を提案する。
【背景技術】
【０００２】
次世代モバイル通信機器の到来に従い、無線ＬＡＮと高速データ伝送の要望を満足させる為、いかに有効的に空間資源を利用するかは無線通信技術の重要な発展方向となっている。ＭＩＭＯ技術（Multiple input Multiple output）は、送信端末と受信端末両方に、多数のアンテナの通信技術を利用したものであり、このＭＩＭＯ技術は、大幅に通信品質を向上させることができる。また、時空間ブロック符号化(ＳＴＢＣ: Space time block coding)は、ＭＩＭＯの通信システム上に構築可能で、優れた送信ダイバシティ(Diversity)ブロック符号化であり、通常、ＭＩＭＯ技術と共にＭＩＭＯ−ＯＦＤＭ(マイモ直交波周波数分割多重)通信システム上に応用される。
【０００３】
ＭＩＭＯ−ＯＦＤＭ(マイモ直交波周波数分割多重)通信システムは、現在、屋外多通信路効果が引き起す周波数選択性減衰に対抗する重要技術である。しかし、ＭＩＭＯ−ＯＦＤＭ(直交波周波数分割多重)は、多数の二次搬送波を合成して伝送する為、ピーク対平均電力比（ＰＡＰＲ：peak-to-average power ratio）と動的範囲が大きすぎる現象を持つ。このような状況下、通信システム中のＲＦパワーアンプ、デジタルアナログ変換器（ＤＡＣ：digital analog converter）及びアナログデジタル変換器(ＡＤＣ：analog digital converter)は、非常に大きな線形操作空間によって、信号が失われないよう維持する必要があり、これは、ＲＦ回路の設計をより複雑にしている。
【発明の開示】
【発明が解決しようとする課題】
【０００４】
本発明の主要な目的は、ＭＩＭＯ−ＣＤＭＡ（マイモ符号分割多重接続）装置を提供することにあり、符号分割多重接続（ＣＤＭＡ）が単搬送波で伝送する特性を利用して、出力信号のピーク対平均電力比（ＰＡＰＲ：peak-to-average power ratio）を低下させ、通信システムにおけるＲＦ回路歪み現象を改善、ＲＦ回路の複雑度を低下させる。
【０００５】
本発明の別の目的は、ＭＩＭＯ−ＣＤＭＡ（マイモ符号分割多重接続）装置を提供することにあり、多数のアンテナで受信する方式は、受信端末アンテナ空間相関性が高くないという特性により、単一チャネル減衰による信号のひどい歪みを防止する。
【０００６】
本発明のもう一つの目的は、ＭＩＭＯ−ＣＤＭＡ（マイモ符号分割多重接続）符号化方式を提供することにあり、プリアンブルスプレッドコード (preamble spreading code)と、時空間ブロック符号化(ＳＴＢＣ： Space time block coding)技術によって、多通信路の影響と周波数偏移の問題を克服する。
【０００７】
本発明の更にもう一つの目的は、ＭＩＭＯ−ＣＤＭＡ（マイモ符号分割多重接続）符号化、復号方式を提供することにあり、プリアンブルスプレッドコード(preamble spreading code)、パイロットスプレッドコード (pilot spreading code)及びデータスプレッドコード(data spreading code)によって、受信した信号にチャネル判断(channel estimation)、パケットタイミング判断(packet timing estimation)、周波数偏移判断(frequency shift estimation)、位相判断(phase estimation)及び及びデータデスプレッド(data despreading)を行う。
【０００８】
本発明の提供するＭＩＭＯ−ＣＤＭＡ（マイモ符号分割多重接続）符号化装置において、その装置の送信端末は、エンコードユニット、モジュレーション(modulation)ユニット、ダイバシティエンコード(diversion coding)ユニット、スプレッド(spread)ユニット、多数のＲＦ送信モジュールと、多数の送信アンテナにより構成され、また、この装置の受信端末は、多数の受信アンテナ、多数の判断ユニット、デスプレッド(despread)ユニット、ダイバシティデコードユニット、デモジュレーション(demodulation)ユニット及びデコードユニットにより構成される。
【０００９】
本発明の提供するＭＩＭＯ−ＣＤＭＡ（マイモ符号分割多重接続）の送信端末において、前述のエンコードユニットは、データを符号化する為のものであり、モジュレーションユニットは、エンコードユニットに連結してエンコードユニットの出力を変調する。ダイバシティエンコードユニットは、モジュレーションユニットに連結して、モジュレーションユニットが出力する信号を符号化、並びに多数のブロックデータを出力する。スプレッドユニットは、ダイバシティエンコードユニットに連結、データスプレッドコード、パイロットスプレッドコード及び多数のプリアンブルスプレッドコードによって、それぞれブロックデータにスプレッドエンコードを行い、並びに、多数のスプレッドデータを出力する。多数のＲＦ送信モジュールは、それぞれスプレッドユニットとアンテナ間に連結、並びにそれぞれ対応する送信アンテナによってスプレッドデータを送信する。
【００１０】
本発明の提供するＭＩＭＯ−ＣＤＭＡ（マイモ符号分割多重接続）装置の受信端末において、前述する多数のアンテナは、前述した送信アンテナが送信する信号を受信するもので、これらの信号は、多通信路によって受信アンテナに伝送される。また、多数の判断ユニットは、それぞれ受信アンテナに連結、並びに、プリアンブルスプレッドコードによって受信アンテナが受信する信号にチャネル判断、パケットタイミング判断、周波数偏移判断を行い、パイロットスプレッドコードによって、受信アンテナが受信する信号に位相判断を行う。デスプレッドユニットは判断ユニットに連結して、データスプレッドコードによって、判断ユニットが出力する信号をデータデスプレッドし、並びにこれに基づいてデスプレッドデータを出力する。また、ダイバシティデコードユニットは、デスプレッドユニットに連結して、デスプレッドデータをダイバシティデコードする。続いて、デモジュレーションユニットはダイバシティデコードユニットに連結して、ダイバシティデコードユニットが出力する信号を変調し、また、デコードユニットは、デモジュレーションユニットに連結して、デモジュレーションユニットが出力する信号を復号する。その内、受信アンテナが受信した信号は、送信アンテナが送信するスプレッド信号に対応し、判断ユニットと受信アンテナは一対一の対応関係になっている。
【００１１】
本発明の好しい実施例に基づき、前述したモジュレーションユニットのエンコードユニット変調の出力方法には、四位相偏移変調(ＱＰＳＫ：Quadrature phase shift keying)を含む。また、ダイバシティエンコードユニットは、モジュレーションユニットを符号化するもので、その出力方式は、時空間ブロック符号化(ＳＴＢＣ：Space time block coding)演算法を含む。
【００１２】
本発明の好しい実施例に基づくと、スプレッドユニットは、多数のマルチプレクサーを含み、それはそれぞれ、ＲＦ送信モジュールに連結して、並びに、多数のデータパイロットスプレッドユニットはそれぞれマルチプレクサーの内の一つとダイバシティエンコードユニットの間に連結、データスプレッドコードとパイロットスプレッドコードによって、それぞれ前述した各ブロックデータをスプレッドエンコードする。また、プリアンブルスプレッドユニットは、マルチプレクサーに連結、並びに、プリアンブルスプレッドコードをそれぞれマルチプレクサーに伝送する。各マルチプレクサーは全て、一組のプリアンブルスプレッドコードに対応する。その内、マルチプレクサーは、データパイロットスプレッドユニットの出力とそれに対応するプリアンブルスプレッドコードに基づき、それぞれスプレッドデータを出力する。その内、データスプレッドコードとパイロットスプレッドコードは直交波であり、また、プリアンブルスプレッドコードの内の任意二組のプリアンブルスプレッドコードも直交波である。
【００１３】
本発明の好しい実施例に基づくと、前述した各判断ユニットは、ＲＦモジュール、サイクリックプレフィックス除去ユニット、時刻同期と周波数偏移判断ユニット、チャネル判断ユニット、位相判断ユニットにより構成される。その内、ＲＦ受信モジュールはそれに対応する受信アンテナに連結、並びに、受信アンテナが受信する信号に基づいて、受信信号を出力する。時刻同期と周波数偏移判断ユニットは、ＲＦ受信モジュールに連結、並びに、プリアンブルスプレッドコードに基づいて、受信信号のパケットタイミングと周波数偏移データを出力する。サイクリックプレフィックス除去ユニットは、デスプレッドユニットとＲＦ受信モジュールの間に連結、並びに、前述したパケットタイミング相関データに基づき、受信信号中の一つのサイクリックプレフィックス(cyclic prefix)を除去する。チャネル判断ユニットは、ＲＦ受信ユニットとデスプレッドユニット間に連結、並びに、プリアンブルスプレッドコードに基づき、受信信号のチャネル効果を判断、また、チャネル予測値をデスプレッドユニットに出力する。また、位相判断ユニットは、デスプレッドユニットとサイクリックプレフィックス除去ユニット間に連結、並びに、パイロットスプレッドコードに基づき、位相偏移データをデスプレッドユニットに出力する。デスプレッドユニットは、データスプレッドコード、位相偏移データとチャネル予測値に基づき、サイクリックプレフィックス除去ユニットの出力に対し、データデスプレッドを行う。
【００１４】
別の観点から説明を加えると、本発明は、ＭＩＭＯ−ＣＤＭＡ（マイモ符号分割多重接続）装置の符号化方法を提案するものであり、ＭＩＭＯ−ＣＤＭＡ（マイモ符号分割多重接続）に適応するもので、それは、多数の送信アンテナと多数の受信アンテナにより構成され、この符号化方法は下記ステップを含む。まず、一つのモジュレーションデータをダイバシティエンコードして多数のブロックデータを出力する。その後、データスプレッドコード、パイロットスプレッドコード、多数のプリアンブルスプレッドコードによって、前述したブロックデータをスプレッドし、並びに、Ｍ個のスプレッドデータを出力する。最後に、多数の送信アンテナを用いて、それぞれスプレッドデータを送信する。スプレッドデータと送信アンテナは一対一である。
【００１５】
更に別の観点から説明すると、本発明は、ＭＩＭＯ−ＣＤＭＡ（マイモ符号分割多重接続）装置の復号方法を提供する。このＭＩＭＯ−ＣＤＭＡ（マイモ符号分割多重接続）装置は、多数の送信アンテナと多数の受信アンテナにより構成され、この符号化方法は下列のステップを含む。まず、多数のプリアンブルスプレッドコードにより、第i受信アンテナが受信した信号にパケットタイミング判断と周波数偏移判断とチャネル判断を行い、並びに、対応する第iパケットタイミングと周波数偏移データと第iチャネル予測値を出力する。Iは自然数であり、iの最大値は、受信アンテナの個数である。その後、第iパケットタイミングに基づき、第i受信アンテナが受信した信号のサイクリックプレフィックスを除去する。続いて、パイロットスプレッドコードにより、サイクリックプレフィックス除去後の第i受信アンテナが受信した信号に位相判断を行い、並びに、対応する第i位相偏移データを出力する。その後、データスプレッドコード、第i位相偏移データ、第iチャネル予測値により、サイクリックプレフィックス除去後の第i受信アンテナが受信した信号をデータデスプレッドすると、第iサブデスプレッドデータが発生する。更に、全てのサブデスプレッドデータにより、一つのデスプレッドデータが出力され、このデスプレッドデータをダイバシティデコードする。
【課題を解決するための手段】
【００１６】
請求項１の発明は、ＭＩＭＯ−ＣＤＭＡ（マイモ符号分割多重接続）装置において、
データを符号化する一つのエンコードユニットと、
エンコードユニットに連結、エンコードユニットの出力を変調する、モジュレーションユニットと、
モジュレーションユニットに連結、モジュレーションユニットの出力を符号化し、並びに、Ｍ個のブロックデータを出力する、ダイバシティエンコードユニットと、
ダイバシティエンコードユニットに連結、データスプレッドコード、パイロットスプレッドコード及び多組のプリアンブルスプレッドコードを用いて、それぞれブロックデータにスプレッドエンコードを行い、並びに、Ｍ個のスプレッドデータを出力する、スプレッドユニットと、
それぞれをスプレッドユニットに連結、並びに、それぞれスプレッドデータの一つを受信する、Ｍ個のＲＦ送信モジュールと、
それぞれをＲＦ送信モジュールに連結、ＲＦモジュールは送信アンテナを使ってスプレッドデータの一つをそれぞれ送信する、Ｍ個送信アンテナと、
Ｋ個の受信アンテナと、
それぞれを受信アンテナに連結、並びに、プリアンブルスプレッドコードを使って受信アンテナが受信した信号にチャネル判断とパケットタイミング判断と周波数偏移判断を行い、また、パイロットスプレッドコード(pilot)によって受信アンテナが受信した信号に位相判断を行う、Ｋ個の判断ユニットと、
判断ユニットに連結、並びに、データスプレッドコードを使って、判断ユニットの出力にデータデスプレッドを行い、デスプレッドデータを出力する、デスプレッドユニットと、
デスプレッドユニットに連結、並びに、デスプレッドデータにダイバシティデコードを行う、ダイバシティデコードユニットと、
ダイバシティデコードユニットに連結、並びに、ダイバシティデコードユニットの出力に復調を行う、デモジュレーションユニットと、
デモジュレーションユニットに連結、デモジュレーションユニットの出力を復号する、デコードユニットとを含み、
ＭとＫは皆、自然数で、且つ、受信アンテナが受信した信号は、送信アンテナが送信するスプレッド信号に対応、判断ユニットと受信アンテナは１対１であることを特徴とするＭＩＭＯ−ＣＤＭＡ（マイモ符号分割多重接続）装置としている。
請求項２の発明は、請求項１記載のＭＩＭＯ−ＣＤＭＡ（マイモ符号分割多重接続）装置において、前記モジュレーションユニットのエンコードユニット変調の出力方式には、四位相偏移変調(ＱＰＳＫ：Quadrature phase shift keying)を含むことを特徴とするＭＩＭＯ−ＣＤＭＡ（マイモ符号分割多重接続）装置としている。
請求項３の発明は、請求項１記載のＭＩＭＯ−ＣＤＭＡ（マイモ符号分割多重接続）装置において、前記ダイバシティエンコードユニットのモジュレーションユニット符号化の出力方式には、時空間ブロック符号化演算法を含むことを特徴とするＭＩＭＯ−ＣＤＭＡ（マイモ符号分割多重接続）装置としている。
請求項４の発明は、請求項１記載のＭＩＭＯ−ＣＤＭＡ（マイモ符号分割多重接続）装置において、前記ダイバシティエンコードユニットのモジュレーションユニット符号化の出力方式には、空間多重演算法を含むことを特徴とするＭＩＭＯ−ＣＤＭＡ（マイモ符号分割多重接続）装置としている。
請求項５の発明は、請求項１記載のＭＩＭＯ−ＣＤＭＡ（マイモ符号分割多重接続）装置において、前記スプレッドユニットは、
それぞれをＲＦ送信モジュールに連結するＭ個のマルチプレクサーと、
それぞれをマルチプレクサーの内の一つとダイバシティエンコードユニット間に連結、データスプレッドコードと該パイロットスプレッドコードを用いて、それぞれ各ブロックデータにスプレッドエンコードを行う、Ｍ個のデータパイロットスプレッドユニットと、  マルチプレクサーに連結、並びに、プリアンブルスプレッドコードをそれぞれマルチプレクサーに伝送、プリアンブルスプレッドコード中の一つは、マルチプレクサー中の一つに対応する、プリアンブルスプレッドユニットを含み、
その内、マルチプレクサーは、データパイロットスプレッドユニットの出力とそれに対応するプリアンブルスプレッドコードに基づき、それぞれスプレッドデータ中の一つを、対応するＲＦ送信モジュール中の一つに出力することを特徴とするＭＩＭＯ−ＣＤＭＡ（マイモ符号分割多重接続）装置としている。
【００１７】
請求項６の発明は、請求項５記載のＭＩＭＯ−ＣＤＭＡ（マイモ符号分割多重接続）装置において、前記ＲＦ送信モジュール中の一つは、
送信アンテナ中の一つに連結する一つのＲＦ送信器と、
ＲＦ送信器とマルチプレクサー中の一つに連結する一つのデジタルアナログ変換器を含むことを特徴とするＭＩＭＯ−ＣＤＭＡ（マイモ符号分割多重接続）装置としている。
請求項７の発明は、請求項１記載のＭＩＭＯ−ＣＤＭＡ（マイモ符号分割多重接続）装置において、前記データスプレッドコードとパイロットスプレッドコードは直交波であることを特徴とするＭＩＭＯ−ＣＤＭＡ（マイモ符号分割多重接続）装置としている。
請求項８の発明は、請求項１記載のＭＩＭＯ−ＣＤＭＡ（マイモ符号分割多重接続）装置において、前記プリアンブルスプレッドコード中の一つとこの外のプリアンブルスプレッドコード中の一つは直交波であることを特徴とするＭＩＭＯ−ＣＤＭＡ（マイモ符号分割多重接続）装置としている。
請求項９の発明は、請求項１記載のＭＩＭＯ−ＣＤＭＡ（マイモ符号分割多重接続）装置において、前記モジュレーションユニットは、モジュレーションユニットが出力したサ信号にサイクリックプレフィックスを加えたものであることを特徴とするＭＩＭＯ−ＣＤＭＡ（マイモ符号分割多重接続）装置としている。
請求項１０の発明は、請求項１記載のＭＩＭＯ−ＣＤＭＡ（マイモ符号分割多重接続）装置において、前記判断ユニット中の一つは、
対応する受信アンテナ中の一つに連結、並びに、受信アンテナ中の一つが受信した信号を用いて、受信信号を出力する、ＲＦ受信モジュールと、
ＲＦ受信モジュールに連結、並びに、プリアンブルスプレッドコードに基づいて、受信信号のパケットタイミングと周波数偏移データを出力する、時刻同期と周波数偏移判断ユニットと、
デスプレッドユニットとＲＦ受信モジュール間に連結、並びに、パケットタイミングと周波数偏移データに基づき、受信信号中のサイクリックプレフィックスを除去する、サイクリックプレフィックス除去ユニットと、
ＲＦ受信ユニットとデスプレッドユニット間に連結、プリアンブルスプレッドコードに基づいて、受信信号のチャネル効果を判断、並びに、チャネル予測値をデスプレッドユニットに出力する、チャネル判断ユニットと、
デスプレッドユニットとサイクリックプレフィックス除去ユニット間に連結、並びに、パイロットスプレッドコードに基づき、位相偏移データをデスプレッドユニットに出力する、位相判断ユニットを含むことを特徴とするＭＩＭＯ−ＣＤＭＡ（マイモ符号分割多重接続）装置としている。
請求項１１の発明は、請求項１０記載のＭＩＭＯ−ＣＤＭＡ（マイモ符号分割多重接続）装置において、デスプレッドユニットは、データスプレッドコード、位相偏移データ、チャネル予測値に基づき、サイクリックプレフィックス除去ユニットの出力にデータデスプレッドを行うことを特徴とするＭＩＭＯ−ＣＤＭＡ（マイモ符号分割多重接続）装置としている。
請求項１２の発明は、請求項１０記載のＭＩＭＯ−ＣＤＭＡ（マイモ符号分割多重接続）装置において、ＲＦ受信モジュールは、
受信アンテナ中の一つに連結する、ＲＦ受信器と、
ＲＦ受信器に連結、並びに、受信信号を出力する、アナログデジタル変換器を含むことを特徴とするＭＩＭＯ−ＣＤＭＡ（マイモ符号分割多重接続）装置としている。
請求項１３の発明は、請求項１記載のＭＩＭＯ−ＣＤＭＡ（マイモ符号分割多重接続）装置において、ダイバシティデコードユニットは、時空間ブロックデコード演算法によりモジュレーションユニットの出力を符号化することを特徴とするＭＩＭＯ−ＣＤＭＡ（マイモ符号分割多重接続）装置としている。
【００１８】
請求項１４の発明は、ＭＩＭＯ−ＣＤＭＡ（マイモ符号分割多重接続）装置の符号化方法におけるＭＩＭＯ−ＣＤＭＡ（マイモ符号分割多重接続）装置は、Ｍ個の送信アンテナとＫ個の受信アンテナを含み、ＭとＫは皆自然数であり、
その符号化方法のステップには、
モジュレーションデータをダイバシティエンコードし、並びに、Ｍ個のブロックデータを出力、
データスプレッドコード、一パイロットスプレッドコード、多組のプリアンブルスプレッドコードによって、ブロックデータにスプレッドを行い、並びに、Ｍ個のスプレッドデータを出力するステップを含み、
送信アンテナにより、スプレッドデータをそれぞれ送信、スプレッドデータと送信アンテナは一対一となることを特徴とするＭＩＭＯ−ＣＤＭＡ（マイモ符号分割多重接続）装置の符号化方法としている。
請求項１５の発明は、請求項１４記載のＭＩＭＯ−ＣＤＭＡ（マイモ符号分割多重接続）装置の符号化方法において、
前記モジュレーションデータをダイバシティエンコードし、並びに、Ｍ個のブロックデータを出力するステップの前に、更に、
データ符号化、及び、モジュレーションエンコード後のデータにサイクリックプレフィックスを加えるステップを含むことを特徴とするＭＩＭＯ−ＣＤＭＡ（マイモ符号分割多重接続）装置の符号化方法としている。
請求項１６の発明は、請求項１４記載のＭＩＭＯ−ＣＤＭＡ（マイモ符号分割多重接続）装置の符号化方法において、前記モジュレーションデータをダイバシティエンコードするステップにおいて、モジュレーションデータを符号化する為の演算法は、時空間ブロック符号化演算法を含むことを特徴とするＭＩＭＯ−ＣＤＭＡ（マイモ符号分割多重接続）装置の符号化方法としている。
請求項１７の発明は、請求項１４記載のＭＩＭＯ−ＣＤＭＡ（マイモ符号分割多重接続）装置の符号化方法において、前記モジュレーションデータをダイバシティエンコードするステップにおいて、モジュレーションデータをダイバシティエンコードする演算法には、空間多重演算法を含むことを特徴とするＭＩＭＯ−ＣＤＭＡ（マイモ符号分割多重接続）装置の符号化方法としている。
請求項１８の発明は、請求項１４記載のＭＩＭＯ−ＣＤＭＡ（マイモ符号分割多重接続）装置の符号化方法において、前記データスプレッドコードとパイロットスプレッドコードは直交波であることを特徴とするＭＩＭＯ−ＣＤＭＡ（マイモ符号分割多重接続）装置の符号化方法としている。
請求項１９の発明は、請求項１４記載のＭＩＭＯ−ＣＤＭＡ（マイモ符号分割多重接続）装置の符号化方法において、前記プリアンブルスプレッドコード中の一つとその外のプリアンブルスプレッドコード中の一つは直交波であることを特徴とするＭＩＭＯ−ＣＤＭＡ（マイモ符号分割多重接続）装置の符号化方法としている。
【００１９】
請求項２０の発明は、前記ＭＩＭＯ−ＣＤＭＡ（マイモ符号分割多重接続）装置は、Ｍ個の送信アンテナとＫ個の受信アンテナを含み、ＭとＫは皆自然数であり、
その復号方法のステップにおいて、
多数のプリアンブルスプレッドコードを用いて、第i受信アンテナが受信した信号にパケットタイミングと周波数偏移判断とチャネル判断を行い、並びに、対応する第iパケットタイミングと周波数偏移データと第iチャネル予測値を出力、iは自然数、且つ０<i≦Kであり、
第iパケットタイミングと周波数偏移データに基づき、第i受信アンテナが受信した信号のサイクリックプレフィックスを除去、
パイロットスプレッドコードによって、サイクリックプレフィックス除去後の第i受信アンテナが受信した信号に位相判断を行い、並びに、対応する第i位相偏移データを出力、
データスプレッドコード、第i位相偏移データ、第iチャネル予測値によって、サイクリックプレフィックス除去後の第i受信アンテナが受信した信号にデータデスプレッドをすると、第iサブデスプレッドデータが発生、
第１から第Ｋサブデスプレッドデータに基づき、デスプレッドデータを出力、
デスプレッドデータにダイバシティデコードを行う、
以上のステップを含むことを特徴とするＭＩＭＯ−ＣＤＭＡ（マイモ符号分割多重接続）装置の復号方法としている。
請求項２１の発明は、請求項２０記載のＭＩＭＯ−ＣＤＭＡ（マイモ符号分割多重接続）装置の復号方法において、前記デスプレッドデータにダイバシティデコードを行うステップにおいて、デスプレッドデータをダイバシティデコードする為の演算法には、時空間ブロック符号化演算法を含むことを特徴とするＭＩＭＯ−ＣＤＭＡ（マイモ符号分割多重接続）装置の復号方法としている。
請求項２２の発明は、請求項２０記載のＭＩＭＯ−ＣＤＭＡ（マイモ符号分割多重接続）装置の復号方法において、前記データスプレッドコードとパイロットスプレッドコードは直交波であることを特徴とするＭＩＭＯ−ＣＤＭＡ（マイモ符号分割多重接続）装置の復号方法としている。
請求項２３の発明は、請求項２０記載のＭＩＭＯ−ＣＤＭＡ（マイモ符号分割多重接続）装置の復号方法において、前記プリアンブルスプレッドコード中の一つとこの外のプリアンブルスプレッドコード中の一つは直交波であることを特徴とするＭＩＭＯ−ＣＤＭＡ（マイモ符号分割多重接続）装置の復号方法としている。
【発明の効果】
【００２０】
本発明は、ＭＩＭＯ（マイモ）構造とＣＤＭＡ（符号分割多重接続）を結合したコンセプトにより、ＣＤＭＡ（符号分割多重接続）装置に多重通信路によって伝送されるハイゲイン(High gain)を持たせ、特定周波数もしくはチャネル衰微により引き起こされる通信品質の問題を改善、同時にプリアンブルスプレッドコードと時空間エンコード技術によって、多重通信路の影響と周波数偏移問題を克服することを特徴とする。
【発明を実施するための最良の形態】
【００２１】
ＭＩＭＯ−ＣＤＭＡ（マイモ符号分割多重接続）装置は、一つの送信端末と一つの受信端末を備える。その送信端末は一つのＣＤＭＡ（符号分割多重接続）符号化装置と多数の送信アンテナの組み合わせによるもので、その受信端末は、一つのＣＤＭＡ（符号分割多重接続）復号装置と多数の受信アンテナの組み合わせによる。本技術領域者に本発明の技術手段を更にはっきり理解して頂く為に、以下に、２インプット２アウトプット符号分割多重接続装置（以下、２*２ＭＩＭＯ−ＣＤＭＡ装置に簡略）によって説明する。
【００２２】
まず、この２*２ＭＩＭＯ−ＣＤＭＡ装置の送信端末を説明する。図１に、本発明の一実施例に基づいた、２*２ＭＩＭＯ−ＣＤＭＡ装置の送信端末フローチャートを示す。本発明時実施例において、２*２ＭＩＭＯ−ＣＤＭＡ装置の送信端末は、以下、２*２ＭＩＭＯ−ＣＤＭＡ送信端末と簡略化する。この２*２ＭＩＭＯ−ＣＤＭＡ送信端末は、エンコードユニット１１０、モジュレーションユニット１２０、ダイバシティエンコードユニット１３０、スプレッドユニット１４０、ＲＦ送信モジュール１５０、１５５と送信アンテナ１６１、１６５により構成される。
【００２３】
モジュレーションユニット１２０は、ダイバシティエンコードユニット１３０とエンコードユニット１１０間に連結される。スプレッドユニット１４０は、ダイバシティエンコードユニット１３０とＲＦ送信モジュール１５０、１５５間に連結、その内、スプレッドユニット１４０は、更に、データパイロットスプレッドユニット１４２、１４６、プリアンブルスプレッドユニット１４４、及びマルチプレクサー１４８、１４９を含む。ＲＦ送信モジュール１５０、１５５は、それぞれ、デジタルアナログ変換器１５２、１５７及びＲＦ送信器１５４、１５９を含む。ダイバシティエンコードユニット１３０の出力は、それぞれデータパイロットスプレッドユニット１４２、１４６に連結、データパイロットスプレッドユニット１４２、１４６は、それぞれ、マルチプレクサー１４８、１４９に連結する。また、プリアンブルスプレッドユニット１４４は、それぞれマルチプレクサー１４８、１４９に連結する。デジタルアナログ変換器１５２、１５７は、それぞれＲＦ送信器１５４、１５９とマルチプレクサー１４８、１４９間に連結する。送信アンテナ１６１、１６５は、それぞれＲＦ送信器１５４、１５９に連結する。
【００２４】
図２に、本発明の一実施例に基づく、２*２ＭＩＭＯ−ＣＤＭＡ装置の受信端末の判断ユニットフローチャートを示す。図２に示すとおり、判断ユニット２００は、ＲＦモジュール２１１、時刻同期と周波数偏移判断ユニット２１４、チャネル判断ユニット２１５、サイクリックプレフィックス除去ユニット２１６、位相判断ユニット２１７により構成され、その内、ＲＦ受信モジュール２１１は、更に、ＲＦ受信器２１２、アナログデジタル変換器２１３を含む。ＲＦ受信器２１２は、アナログデジタル変換器２１３に連結、アナログデジタル変換器２１３の出力は、それぞれ時刻同期と周波数偏移判断ユニット２１４、チャネル判断ユニット、サイクリックプレフィックス除去ユニット２１６に連結する。サイクリックプレフィックス除去ユニット２１６の出力は、位相判断ユニット２１７に連結する。入力信号ＩＮＴは、判断ユニット２００を経て、チャネル判断、位相判断、パケットタイミング判断と周波数偏移判断、及びサイクリックプレフィックスの除去後、それぞれ、チャネル予測値ＣＥＶ、位相偏移データＰＳＤ、及び出力信号ＯＵＴを出力する。
【００２５】
図３に、本発明の一実施例に基づく、２*２ＭＩＭＯ−ＣＤＭＡ装置の受信端末フローチャートを示す。以下、２*２ＭＩＭＯ−ＣＤＭＡ装置の受信端末は、２*２ＭＩＭＯ−ＣＤＭＡ受信端末と簡略する。この２*２ＭＩＭＯ−ＣＤＭＡ受信端末は、２組の受信アンテナ３０１、３０５、２組の判断ユニット３１０、３２０、デスプレッドユニット３３０、ダイバシティデコードユニット３４０とデモジュレーションユニット３５０により構成される。その内、判断ユニット３１０と３２０の両者回路構成ユニットは同様で、その内部の回路連結関係は、本実施例の図２における判断ユニット２００に示すとおりである故、ここでは説明を省く。判断ユニット３１０、３２０中のＲＦ受信器２１２は、それぞれ受信アンテナ３０１、３０５に連結、また、判断ユニット３１０、３２０の出力は、それぞれデスプレッドユニット３３０に連結、ダイバシティデコードユニット３４０は、デスプレッドユニット３３０とデモジュレーションユニット３５０間に連結する。
【００２６】
本実施例における２*２ＭＩＭＯ−ＣＤＭＡ装置の送信端末と受信端末の電性連結関係の説明を終了する。続いて、更に、この２*２ＭＩＭＯ−ＣＤＭＡ送信端末と受信端末の作動方式を説明する。まず初めに、２＊２ＭＩＭＯ−ＣＤＭＡ送信端末の回路作動方式を、図１を参照して以下に説明する。
【００２７】
エンコードユニット１１０は、一つのデータＤＡを受信、符号化後、その結果をモジュレーションユニット１２０に出力する。モジュレーションユニット１２０は、この一つの符号化後のデータＤＡをモジュレーションする。本実施例において、モジュレーション方式には、四位相偏移変調(ＱＰＳＫ：quadrature phase shift keying)を含む。ダイバシティエンコードユニット１３０は、ダイバシティエンコード技術(例えば、時空間ブロック符号化)によって、モジュレーションユニット１２０の出力をダイバシティエンコードする。ダイバシティエンコード後、２個のブロックデータＢＤ１、ＢＤ２を出力、このブロックデータＢＤ１、ＢＤ２の数量と受信アンテナ数量は同様であり、本実施例では２個である。もう一つの実施例において、ダイバシティエンコードユニット１３０が使用するダイバシティエンコード技術には、空間多重(ＤｅＭＵＸ：spatial deＭultiplexing)演算法をも含む。
【００２８】
ブロックデータＢＤ１、ＢＤ２は、それぞれデータパイロットスプレッドユニット１４２、１４６に伝送され、データパイロットスプレッドユニット１４２、１４６は、データスプレッドコードＣＤとパイロットスプレッドコードＤＰによってそれぞれ、ブロックデータＢＤ１、ＢＤ２にデータスプレッドエンコードとパイロットスプレッドエンコードを行う。その内データスプレッドコードＣＤの数１は、以下に示すとおりである。
【００２９】
【数１】
2007166591.tif 000003
【００３０】
データスプレッドコードＣＤのビット長さは、Ｎ、Ｎは自然数である。その内、cd(０)… cd(Ｎ−１)は、それぞれ、デジタルロジック信号(例えば、ロジック１もしくはロジック０)である。この一つのデータスプレッドコードＣＤは、ブロックデータＢＤ１、ＢＤ２において共用される。別の一実施例では、ダイバシティエンコードユニットが出力する全てのブロックエンコードにおいて共用される。
【００３１】
パイロットスプレッドコードＣＰは、ブロックエンコードＢＤ１、ＢＤ２において共用される。その数２は下記に示すとおりである。
【００３２】
【数２】
2007166591.tif 000004
【００３３】
パイロットスプレッドコードＣＰのビット長さとデータスプレッドコードＣＤは同様であり、同じくＮである。その内、cP(０)… cP(Ｎ−１)は、それぞれデジタルロジック信号(例えばロジック１もしくはロジック０)であり、また、パイロットスプレッドコードＣＰとデータスプレッドコードＣＤは直交波特性を備え、即ち、ＣＰT・ＣＤ＝０である。
【００３４】
プリアンブルスプレッドユニット１４４が提供するプリアンブルスプレッドコードＣＳは、２組のコードを含み、それぞれ、第１組のプリアンブルスプレッドコードＣＳ１と第２組のプリアンブルスプレッドコードＣＳ２であり、それぞれは、マルチプレクサー１４８、１４９に出力され、この２組のコードは、ダイバシティエンコードユニット１３０が出力するブロックデータＢＤ１、ＢＤ２にそれぞれ対応する。プリアンブルスプレッドコードＣＳは、数３によって以下に示される。
【００３５】
【数３】
2007166591.tif 000005
【００３６】
各組のプリアンブルスプレッドコードＣＳ(i=１、２)のビット長さは全てＮで、Ｎは自然数である。ｃs.i(０)… cs.i(Ｎ−１)はそれぞれ、デジタルロジック信号(例えばロジック１もしくはロジック０)である。i=１である場合、第１組のプリアンブルスプレッドコードＣＳ１は、ブロックデータＢＤ１に対応し、並びに、マルチプレクサー１４８に出力される。i=２である場合、第２組のプリアンブルスプレッドコードＣＳ２は、ブロックスプレッドコードＢＤ２に対応し、並びに、マルチプレクサー１４９に出力される。その内iは、第iアンテナ、及び２つのアンテナのプリアンブルスプレッドコードＣＳ１、ＣＳ２は、直交波特性を備え、即ち、ＣＳ１・ＣＳ２=０  である。
【００３７】
ブロックデータＢＤ１、ＢＤ２をデータパイロットユニット１４２、１４６に出力されると、データパイロットユニット１４２、１４６はそれぞれ、前述したデータスプレッドコードＣＤとパイロットスプレッドコードＣＰに基づいて、ブロックデータＢＤ１、ＢＤ２にデータスプレッドとパイロットスプレッドのデータ演算を行う。その後、符号化後のデータをそれぞれ、マルチプレクサー１４８、１４９に伝送する。マルチプレクサー１４８、１４９は、プリアンブルスプレッドコードＣＳとデータパイロットユニット１４２、１４６の出力するデータを用いて、タイミング切換方式でそれぞれ、スプレッドデータＳＤ１、ＳＤ２を出力する。
【００３８】
マルチプレクサー１４８、１４９は、それぞれスプレッドデータＳＤ１、ＳＤ２をデジタルアナログ変換器１５２、１５７に出力する。デジタルアナログ変換器１５２、１５７は、デジタルデータ形式のスプレッドデータＳＤ１、ＳＤ２をアナルグデータ形式に変換、並びに、ＲＦ送信器１５４、１５９にそれぞれ出力する。ＲＦ送信器１５４、１５９は、デジタルアナログ変換器１５２、１５７の出力をＲＦ信号に変換、並びに、それぞれを送信アンテナ１６１、１６５によって送信する。
【００３９】
続いて、本実施例における２*２ＭＩＭＯ−ＣＤＭＡ受信端末の回路作動方式を、図２及び図３を参照にして以下に説明する。まず、判断ユニット２００中の回路作動方式を説明する。ＲＦ受信器２１２は、外界（例えばアンテナ）から入力信号ＩＮＴを受信、アナログデジタル変換器２１３を経て、この入力信号ＩＮＴをデジタル信号に変換、同時に時刻同期と周波数偏移判断ユニット２１４、チャネル判断ユニット２１５、サイクリックプレフィックス除去ユニット２１６に出力する。時刻同期と周波数偏移判断ユニット２１４は、プリアンブルスプレッドコードＣＳに基づいて入力信号ＩＮＴ中の周波数偏移データＦＳＤ及びそのパケットタイミングＰＴを判断する。
【００４０】
周波数偏移データＦＳＤとパケットタイミングＰＴの判断については、下記数式によって検証される。
まず、伝送環境は周波数選択性チャネルを例とする故、このチャネルは“Ｌ個の長さを持つ離散時間インパルス応答”を用いて、下記の数４によって示される。その内iは、第iアンテナを示し、並びに、第lチャネルαi..lは、レイリー(Rayleigh)分布の減衰特性を備える。
【００４１】
【数４】
2007166591.tif 000006
【００４２】
前述したプリアンブルスプレッドコードＣＳで理解されたとおり、プリアンブルスプレッドコードＣＳは、ｃs.i(０)… cs.i(Ｎ−１)等デジタルロジック信号により構成され、その内cs.i(k)が所在する位置は、第kプリアンブル(preamble)ブロックであり、kは自然数、第kプリアンブルブロックの信号は、下記の数５によって示される。
【００４３】
【数５】
2007166591.tif 000007
【００４４】
その内、z(k)は、第kプリアンブルブロックの周波数偏移ベクトルを示す、下記の数６によって示される。
【００４５】
【数６】
2007166591.tif 000008
【００４６】
上述式のf0は、周波数偏移を示し、並びにTcは、スプレッドコードのパルス区間を示す。チャネルは二つの連続ブロックにあり、この時、チャネル応答は同様に維持される故、第kプリアンブルブロック受信信号は、新たに表示される、下記の数７によって示される。
【００４７】
【数７】
2007166591.tif 000009
【００４８】
その内hは、“等価合成特徴ベクトル(ＣＳＶ：effective composite  signature vector)”を示す、下記の数８によって示される。
【００４９】
【数８】
2007166591.tif 000010
【００５０】
続いて、第kと第(k+１)受信プリアンブルブロックを相乗し、下記の数９如き統計信号を得る。
【００５１】
【数９】
2007166591.tif 000011
【００５２】
上の式により、周波数偏移予測値を獲得する、下記の数１０によって示される。
【００５３】
【数１０】
2007166591.tif 000012
【００５４】
また、パケットタイミングＰＴ判断においては、下記数式により検証する。
パケットデータが到達した時、第k受信データは下記の数１１如き示される。
【００５５】
【数１１】
2007166591.tif 000013
【００５６】
続いてプリアンブルスプレッドコードＣＳのマッチングフィルタによって、下記の数１２如きマッチング後の信号を得ることができる。
【００５７】
【数１２】
2007166591.tif 000014
【００５８】
この時、パケット探知を行う為に、起点(Threshold)を提供、比較を行う必要がある。本実施例においては、移動平均(Ｍoving Ａverage)方式により適応性起点を得る。このように環境によって、起点を自動調整し、パケットタイミングＰＴの安定した探知を助ける。この数１３は以下のとおりである。
【００５９】
【数１３】
2007166591.tif 000015
【００６０】
送信するプリアンブルスプレッドコードＣＳはゲインを有している故、パケットが到達した場合、マッチング処理をする信号は、平均処理の起点より大きくなり、この時パケットタイミングＰＴは、探知される。この数１４は以下のとおりである、式中のαは起点調整因子である。
【００６１】
【数１４】
2007166591.tif 000016
【００６２】
周波数偏移データＦＳＤとパケットタイミングＰＴの判断後、続いて、周波数偏移データＦＳＤとパケットタイミングＰＴ的予測値を用いて、サイクリックプレフィックス除去ユニット２１６は、入力信号IＮＴの周波数補償とタイミング定位、及びサイクリックプレフィックスの除去を行い、並びに、出力信号ＯＵＴを発生する。しかしながら、周波数補償後、依然として残存周波数偏移が存在する故、受信データIＮＴの位相偏移を招く。また、デモジュレーションユニット３５０の入力信号に対するデモジュレーションに影響を与える。この問題を克服する為、パイロットスプレッドコードＣＰを用いて位相補償を行う。
【００６３】
続いて、位相判断ユニット２１７は、パイロットスプレッドコードＣＰとサイクリックプレフィックス除去ユニット２１６の出力信号ＯＵＴに基づき、入力信号IＮＴの位相偏移判断を行う。まず、周波数偏移補償後、残存周波数偏移の存在する第k受信パイロットブロックの第k受信パイロットブロックは、cp(０)… cp(Ｎ−１)中のcp(k)の存在するブロックであり、kは自然数、第k受信パイロットブロックは、下記数１５モデルに示される。
【００６４】
【数１５】
2007166591.tif 000017
【００６５】
その内cp,lは、下記に示すとおり、パイロットスプレッドコードＣＰが第(l-１)遅延を経て構成される“テンポラル特徴ベクトル(temporal signature vector) ”を示す、この数１６は以下のとおりである。
【００６６】
【数１６】
2007166591.tif 000018
【００６７】
並びに、第(l-１)遅延のパイロットスプレッドコードＣＰとデータスプレッドコードＣＤはやはり直交波特性を有し、即ち、cTp,1cd,1=０となる。この他、同様に簡略化する為に、第iアンテナ送信の第kパイロットシンボル全部は１ (pi(k) =１)とし、並びに、その内z(k)は、下記数１７のとおり第kプリアンブルブロックの周波数偏移ベクトルを示す。
【００６８】
【数１７】
2007166591.tif 000019
【００６９】
式中のΔｆは殘存周波数偏移(数１８)を示し、並びに、ＭＩＭＯ−ＣＤＭＡシステムにより、正常の周波数偏移が１よりかなり小さい特性を持つ。この数１９は以下のとおりである。
【００７０】
【数１８】
2007166591.tif 000020
【数１９】
2007166591.tif 000021
【００７１】
よって、この時、殘存周波数偏移ベクトルの近似は数２０に示されるとおりである。
【００７２】
【数２０】
2007166591.tif 000022
【００７３】
前述の特性と二つの連続ブロックにおける結合チャネルによって、チャネル応答は、同様の仮説を保つ故、第kプリアンブルブロック受信信号が新た数２１に表示されることがわかる。
【００７４】
【数２１】
2007166591.tif 000023
【００７５】
その内hdとhp等価合成ベクトルと位相偏移は、この数２２は以下のとおりである。
【００７６】
【数２２】
2007166591.tif 000024
【００７７】
最後に、直交波特性、即ちcTp,1cd,1=０によって、hp等価合成ベクトルマッチング後の第kプリアンブルブロック受信信号は、この数２３は以下のとおりである。
【００７８】
【数２３】
2007166591.tif 000025
【００７９】
この時、位相偏移データＰＳＤは、予測されて以下数２４のようになる。
【００８０】
【数２４】
2007166591.tif 000026
【００８１】
続いて、チャネル判断ユニット２１５は、入力信号ＩＮＴのチャネル判断を行う。本実施例において、２*２ＭＩＭＯ−ＣＤＭＡ装置のチャネル効果は、プリアンブルスプレッドコードＣＳにより判断を行い、第kプリアンブルブロックの受信数式モデルは、この数２５は以下のとおりである。
【００８２】
【数２５】
2007166591.tif 000027
【００８３】
その内ｓi(k)は、第iアンテナ送信の第kプリアンブルシンボルを示し、簡略化する為、全てのプリアンブルシンボルを１ (ｓik=１)に設定する。並びに、cs,i,lは、第iアンテナ送信の第(l-１)遅延により構成された“テンポラル特徴ベクトル(temporal signature vector) ”は下記数２６に示すとおりである。
【００８４】
【数２６】
2007166591.tif 000028
【００８５】
そのうち異なるアンテナ間が送信するスプレッドトレーニングコードは、直交波特性、即ち、cTs,1,1 cs,2,1である。
【００８６】
同様に、チャネルが二つの連続するブロック中であると仮設すると、チャネル応答は同様に維持される。この時、プリアンブルスプレッドコードの直交波特性を応用してデスプレッド処理を行うと、下記の数式の如し、第iアンテナ送信の第l通信路のチャネル予測値ＣＥＶが得られる。この数２７は以下のとおりである。
【００８７】
【数２７】
2007166591.tif 000029
【００８８】
上述を総合すると、判断ユニット２００は、プリアンブルスプレッドコードＣＳ、パイロットスプレッドコードＣＰによって入力信号ＩＮＴに対して判断を行い、周波数偏移データＦＳＤ、パケットタイミングＰＴ、位相偏移データＰＳＤとチャネル予測値ＣＥＶを得る。また、周波数偏移データＦＳＤとパケットタイミングＰＴ取得後、入力信号ＩＮＴ中のサイクリックプレフィックスを除去、並びに、出力データＯＵＴを得る。
【００８９】
判断ユニット２００の回路作動方式を説明した。続いて、本実施例２*２ＭＩＭＯ−ＣＤＭＡ受信端末の全回路作動方式を、図３を参照して説明する。前述の図３に示した回路構造の如し、この２*２ＭＩＭＯ−ＣＤＭＡ受信端末は、２組の受信アンテナ３０１、３０５と２組の判断ユニット３１０、３２０、デスプレッドユニット３３０、ダイバシティデコードユニット３４０、及びデモジュレーションユニット３５０により構成される。受信アンテナ３０１、３０５はそれぞれ、異なる通信路から信号を受信、並びに、個別に受信した信号を第１通信路入力信号ＩＮＴ１と第２通信路入力信号ＩＮＴ２をそれぞれ、判断ユニット３１０、３２０に伝送する。判断ユニット３１０、３２０は、前述した判断ユニット２００の回路作動方式により、それぞれ入力信号ＩＮＴ１、ＩＮＴ２に対して判断を行う。
【００９０】
受信アンテナ３０１は、第１通信路入力信号ＩＮＴ１を判断ユニット３１０に出力、判断ユニット３１０は、ＲＦ受信器２１２が受信した第１通信路入力信号ＩＮＴ１を、アナログデジタル変換器２１３を経て、時刻同期と周波数判断ユニット２１４、チャネル判断ユニット２１５、及びサイクリックプレフィックス除去ユニット２１６に伝送する。時刻同期と周波数判断ユニット２１４は、第１組と第２組プリアンブルスプレッドコードＣＳ１とＣＳ２に基づき、第１通信路入力信号ＩＮＴ１の第１通信路周波数偏移データＦＳＤ１、及びそのパケットタイミングＰＴを判断、並びに、サイクリックプレフィックス除去ユニット２１６に出力する。これにより、サイクリックプレフィックス除去ユニット２１６は、第１通信路入力信号ＩＮＴ１のタイミングを確定した後、第１通信路入力信号中のサイクリックプレフィックスを除去、並びに、第１通信路出力信号ＯＵＴ１を発生する。チャネル判断ユニット２１５は、同様に、第１組と第２組プリアンブルスプレッドコードＣＳ１とＣＳ２に基づき、第１通信路入力信号ＩＮＴ１に対してチャネル判断を行い、並びに、第１通信路チャネル予測値ＣＥＶ１を出力する。位相判断ユニット２１７は、パイロットスプレッドコードＣＰと第１通信路出力信号ＯＵＴ１に基づき、第１通信路位相偏移データＰＳＤ１を判断する。
【００９１】
受信アンテナ３０５は、第２通信路入力信号ＩＮＴ２を判断ユニット３２０に出力、判断ユニット３２０の回路作動方式と判断ユニット３１０は類似しているが、主な相異点は、判断ユニット３２０中の時刻同期と周波数偏移ユニット２１４とチャネル判断ユニット３１５が、第２通信路周波数偏移データＦＳＤ２のプリアンブルスプレッドコードは第１組と第２組プリアンブルスプレッドコードＣＳ１とＣＳ２であることを判断する点にある。判断ユニット３２０は、第１組と第２組プリアンブルスプレッドコードＣＳ１とＣＳ２、パイロットスプレッドコードＣＰに基づき、第２通信路チャネル予測値ＣＥＶ２を出力、第２通信路位相偏移データＰＳＤ２、及び第２通信路出力信号ＯＵＴ２を出力する。
【００９２】
デスプレッドユニット３３０は、データスプレッドコードＣＤに伴い、判断ユニット３１０、３２０が出力する信号に対してデータ探知を行う。デスプレッドユニット３３０が受信する第１通信路位相偏移データＰＳＤ１、第１通信路出力信号ＯＵＴ１、及び第１通信路チャネル予測値ＣＥＶ１に、第１通信路入力信号ＩＮＴ１のデータ探知を行う。また、受信した第２通信路位相偏移データＰＳＤ２、第２通信路出力信号ＯＵＴ２、及び第２通信路チャネル予測値ＣＥＶ２に、第２通信路入力信号ＩＮＴ２のデータ探知を行う。その後、最大比率結合(ＭＲＣ：Ｍaximum Ratio Combiner)方法を用いて、第１通信路入力信号ＩＮＴ１と第２通信路入力信号ＩＮＴ２の同調合成受信信号を得、並びに、デスプレッドデータＤＳＤを出力する。その後、ダイバシティエンコードユニット３４０とデモジュレーションユニット３５０によって、２*２ＭＩＭＯ−ＣＤＭＡ送信端が伝送する原データＤＡに還元する。
【００９３】
デスプレッドユニット３３０がデータ探知を行う方式は、数式によって検証できる。伝送環境を周波数選択性チャネルとし、並びに、このチャネルは“Ｌ個の長さを持つ離散時間インパルス応答”を利用可能で、その数２８は以下の通りである。
【００９４】
【数２８】
2007166591.tif 000030
【００９５】
その内iは、第iアンテナを示し、並びに、第lチャネルαi..lは、レイリー(Rayleigh)分布の減衰特性を備え、この他、２インプット１アウトプットの２*２ＭＩＭＯ−ＣＤＭＡ装置を例とし、その受信数式モデルは下記数２９に示す通りである。
【００９６】
【数２９】
2007166591.tif 000031
【００９７】
その内jは、第jシンボルブロック(合計二つのブロック、 kとk+１)を示し、αi..l(j)は、第jブロックのチャネル応答を示し、di(j)は、第iアンテナからの第j送信シンボルデータを示し、並びに、cd,lは、第(l-１)遅延により構成される“テンポラル特徴ベクトル(temporal signature vector) ”は下記数３０に示す通りである。
【００９８】
【数３０】
2007166591.tif 000032
【００９９】
送信データが時空間ブロック符号化技術を採用している故、送信シンボルは、下記の数３１通り示される。
【０１００】
【数３１】
2007166591.tif 000033
【０１０１】
続いて、データを探知する為に、デスプレッド技術によって処理を行うが、その内、異なる通信路には、異なるデスプレッドコードＣd、l，を用いると、下式の数３２示すようになる。
【０１０２】
【数３２】
2007166591.tif 000034
【０１０３】
システムの応用環境が室内である場合は、環境チャネル変化は非常に緩慢である故、チャネルが二つの連続するブロックにある場合、チャネル応答は、同様のものを維持すると仮設すると、下記の数３３とおりになる。
【０１０４】
【数３３】
2007166591.tif 000035
【０１０５】
この時、第kと第k+１ブロックのデスプレッドデータをベクトルを用いて表示すると数３４のようになる。
【０１０６】
【数３４】
2007166591.tif 000036
【０１０７】
最良のゲインを得る為、最大比率結合方法を利用し、チャネル予測値ＣＥＶに併せ、L個通信路の同調合成受信信号を獲得、本実施例においてはL=２となる。この数３５は以下のとおりである。
【０１０８】
【数３５】
2007166591.tif 000037
【０１０９】
上式は、２インプット１アウトプットの２*２ＭＩＭＯ−ＣＤＭＡ装置のデスプレッドデータＤＳＤ、同様にＭＲＣ方法を用い、簡単に２インプット２アウトプットの２*２ＭＩＭＯ−ＣＤＭＡ装置に拡大、この時、同時に“空間と通信路”の多様利得(Diversity Gain)を得ることができる。本実施例は、２インプット２アウトプット符号分割多重接続装置であり、本発明公開後、本技術領域の熟知者は、ＭＩＭＯ−ＣＤＭＡ（マイモ符号分割多重接続）装置の構造と回路作動方式を簡単に推知することができる故、ここでは、重複説明しないこととする。
【０１１０】
図４は、本発明のもう一つの実施例である、ＭＩＭＯ−ＣＤＭＡ（マイモ符号分割多重接続）装置の符号化方法を示す。このＭＩＭＯ−ＣＤＭＡ（マイモ符号分割多重接続）装置は、Ｍ個の送信アンテナとＫ個の受信アンテナを含むものであり、ＭとＫは自然数、復号方法には、下記ステップを示す。  まず、ステップS４１０において、モジュレーション後のデータをダイバシティエンコードし、Ｍ個のブロックデータを出力、そのダイバシティエンコードの方式には、時空間ブロック符号化演算法(在本発明の別の実施例においては空間多重演算法)を含む。ステップS４２０では、データスプレッドコードＣＤとパイロットスプレッドコードＣＰを用いて、それぞれＭ個のブロックデータをスプレッドする。ステップS４３０では、対応するプリアンブルスプレッドコードＣＳを結合、タイミング切換の方式を用いて、完整なフレームフォーマット(frame format)を形成、並びに、Ｍ個のスプレッドデータを出力する。続いて、ステップS４４０では、ＲＦ搬送波によって、Ｍ個のスプレッドデータを送信する。
【０１１１】
図５は、本発明の別の実施例であるＭＩＭＯ−ＣＤＭＡ（マイモ符号分割多重接続）装置の復号方法を説明する。このＭＩＭＯ−ＣＤＭＡ（マイモ符号分割多重接続）装置は、Ｍ個の送信アンテナとＫ個の受信アンテナを含んでおり、ＭとＫは皆、自然数であり、ステップスタート以前に、Ｋ個の受信アンテナによって、異なる通信路より伝送される信号をそえぞれ受信、並びに、Ｋ個の入力信号ＩＮＴを出力する。復号方法は、下記ステップを含む。：ステップS５１０では、プリアンブルスプレッドコードＣＳによって入力信号に周波数偏移判断、パケットタイミング判断、及びチャネル判断を行う。その後、ステップS５２０では、プリアンブルスプレッドコードＣＳによって入力信号ＩＮＴにチャネル判断を行う。ステップS５１０とステップS５２０の実行順序は、別の実施例において交換可能である。更に説明を進めると、ステップS５１０とステップS５２０において完成するメイン作業は、即ち、多数のプリアンブルスプレッドコードＣＳによって第i受信アンテナが受信した信号に周波数偏移判断とチャネル判断を行い、並びに、ステップS５３０では、対応する第i周波数偏移データＦＳＤ、第iパケットタイミングＰＴと第iチャネル予測値ＣＥＶを出力する。Iは自然数、且つ０<i≦K。
【０１１２】
続いて、ステップS５４０では、第i周波数偏移データＦＳＤと第iパケットタイミングＰＴに基づき、第i入力信号ＩＮＴのサイクリックプレフィックスを除去する。ステップS５５０では、パイロットスプレッドコードＣＰを用いて、サイクリックプレフィックス除去後の第i入力信号に位相判断を行い、並びに、対応する第i位相偏移データＰＳＤを出力する。その後、ステップS５６０では、データスプレッドコードＣＤ、第i位相偏移データＰＳＤ、第iチャネル予測値ＣＥＶを用いて、サイクリックプレフィックス除去後の第i入力信号をデータデスプレッドすると、第iサブデスプレッドデータが発生、並びに、第iサブデスプレッドデータが発生する。その後、第１から第Ｋサブデスプレッドデータを結合、デスプレッドデータＤＳＤを出力する。そのデスプレッドデータＤＳＤを得た後、ダイバシティデコード方式によって、入力データＩＮＴ中の原データに還元する。
【０１１３】
前述したデータスプレッドコードとパイロットスプレッドコードは、本実施例において直交波であり、また、プリアンブルスプレッドコードＣＳ中の任意２組のプリアンブルスプレッドコード(例えば、第１組プリアンブルスプレッドコードＣＳ１と第２組プリアンブルスプレッドコードＣＳ２)は直交波である。
【０１１４】
上述図４、図５の実施例中の符号化方法と復号方法の詳細は、既に前述した装置の実施例に含まれており、本発明の公開後、関連領域に従事、知識のある者にとっては、本発明の本符号化と復号方法は簡単に実施できる故、ここでは詳細説明を省略する。
【図面の簡単な説明】
【０１１５】
【図１】本発明の実施例に関する、２インプット２アウトプット符号分割多重接続装置の送信端末のフローチャートである。
【図２】本発明の実施例に関する、２インプット２アウトプット符号分割多重接続装置の受信端末の判断ユニットのフローチャートである。
【図３】本発明の実施例に関する、２インプット２アウトプット符号分割多重接続装置の受信端末のフローチャートである。
【図４】本発明のもう一つの実施例に関する、ＭＩＭＯ−ＣＤＭＡ（マイモ符号分割多重接続）装置の符号化方法である。
【図５】本発明のもう一つの実施例に関する、ＭＩＭＯ−ＣＤＭＡ（マイモ符号分割多重接続）装置の復号方法である。
【符号の説明】
【０１１６】
ＤＡ              データ(Data)
ＢＤ１、ＢＤ２    ブロックデータ(Block Data)
ＣＳ              プリアンブルスプレッドコード(Preamble Spreading Code)
ＣＰ              パイロットスプレッドコード(Pilot Spreading Code)
ＣＤ              データスプレッドコード(Data Spreading Code)
ＰＴ              パケットタイミング(Packet timing)
ＣＳ１            第１組プリアンブルスプレッドコード
ＣＳ２            第２組プリアンブルスプレッドコード
ＳＤ１、ＳＤ２      スプレッドデータ(Spreading Data)
ＩＮＴ            入力信号
ＯＵＴ            出力信号
ＦＳＤ            周波数偏移データ
ＰＳＤ            位相偏移データ
ＣＥＶ            チャネル(Channel)予測値
ＦＳＤ１          第１通信路周波数偏移データ
ＦＳＤ２          第２通信路周波数偏移データ
ＰＳＤ１          第１通信路位相偏移データ
ＰＳＤ２          第２通信路位相偏移データ
ＣＥＶ１          第１通信路チャネル予測値
ＣＥＶ２          第２通信路チャネル予測値
ＩＮＴ１          第１通信路入力信号
ＩＮＴ２          第２通信路入力信号
ＯＵＴ１          第１通信路出力信号
ＯＵＴ２          第２通信路出力信号
ＤＳＤ            デスプレッドデータ(Despreading Data)
１１０            エンコードユニット(Coding Unit)
１２０            モジュレーションユニット(Modulation Unit)
１３０            ダイバシティエンコードユニット(Diversion Coding Unit)
１４２、１４６    データパイロットスプレッドユニット
１４４            プリアンブルスプレッドユニット
１４８、１４９    マルチプレクサー
１５２、１５７    デジタルアナログ(Digital Analog)変換器
１５４、１５９    ＲＦ送信器
１５０、１５５    ＲＦ送信モジュール
１６１、１６５    送信アンテナ
２１１            ＲＦ受信モジュール
２１２            ＲＦ受信器
２１３            アナログデジタル変換器
２１４            周波数判断偏移ユニット
２１５            チャネル判断ユニット
２１６            サイクリックプレフィックス(Cyclic Prefix)除去ユニット
２１７            位相判断ユニット
３０１、３０５    受信アンテナ
３１０、３２０、２００  判断ユニット
３３０            デスプレッドユニット(Despreading Unit)
３４０            ダイバシティデコードユニット(Diversion decoking Unit)
３５０            デモジュレーションユニット(Demodulation Unit)
【図１】
2007166591.tif 000038
【図２】
2007166591.tif 000039
【図３】
2007166591.tif 000040
【図４】
2007166591.tif 000041
【図５】
2007166591.tif 000042